(57)【要約】 【課題】  非力な作業者では難しかったエンジンの始動作業が他人の助けを借りなくとも容易に作業することができるエンジンのリコイルスタータを提供する。【解決手段】  エンジンの始動時にリコイルスタータハウジングに設けられた開口部を通して外部に引き出されるスターターロープと、前記スターターロープを引き出す際に前記休止位置スペーサーから離れる方向に変位される始動ハンドルを備えるリコイルスタータにおいて、前記エンジンには格納可能な足掛け用枠体部を備えるハンドル組立が取り付けられ、前記足掛け用枠体部は中心部に空間を備え、前記足掛け用枠体部は、前記スターターロープの引っ張り方向の延長線上となるように回動自在とした。【選択図】  図１
2012172540.tif 000002
【特許請求の範囲】
【請求項１】
エンジンの始動時にリコイルスタータハウジングに設けられた開口部を通して外部に引き出されるスターターロープと、前記スターターロープを引き出す際に前記休止位置スペーサーから離れる方向に変位される始動ハンドルを備えるリコイルスタータにおいて、
前記エンジンには格納可能な足掛け用枠体部を備えるハンドル組立が取り付けられ、
前記足掛け用枠体部は中心部に空間を備え、
前記スターターロープの引っ張り方向の延長線上に前記足掛け用枠体部があることを特徴とするエンジンのリコイルスタータ。
【請求項２】
請求項１に記載のエンジンのリコイルスタータであって、前記エンジンを地面に置いて始動する際に前記足掛け用枠体部は接地面に接地され、前記足掛け用枠体部は、前記スターターロープの軸線の延長線上に前記足掛け用枠体部がくるように回転調整可能であることを特徴とするエンジンのリコイルスタータ。
【発明の詳細な説明】
【技術分野】
【０００１】
本発明は、エンジンのリコイルスタータの操作を容易にするエンジンのリコイルスタータに関する。
【背景技術】
【０００２】
従来、例えばチェーンソーなどのエンジンにおいては、エンジン本体に取り付けられたハンドルに手をかけてエンジンを押さえ込み、更にエンジン本体側面などに取り付けられたリアハンドルの下側を踏んで固定し、始動ハンドルを引くことにより、エンジンを始動させることができる。
【０００３】
しかし、リアハンドルの下側を踏んで固定する方法は、特に女性や老齢者の場合は慣れないとスターターロープを十分に力強く引けないので始動できないことが多かった。
【０００４】
そこで、エンジンのクランク軸に取り付けたリコイルスタータを覆うケースの外周を貫通するスターターロープの先端に始動ハンドルを取り付けてなるエンジンのリコイルスタータにおいて、上記ケースの外周に上記スターターロープが貫通する周方向に長い長穴を設けるとともに上記始動ハンドルを保持する保持具が取り付けられ周方向に沿ってスライドして常時上記長穴を閉鎖するスライド板を設けたリコイルスタータが知られている（先行技術文献１）。
【先行技術文献】
【特許文献】
【０００５】
【特許文献１】実開平５−１７１６９号公報
【発明の概要】
【発明が解決しようとする課題】
【０００６】
しかし、先行技術文献１では、始動ハンドルを引く角度は調整できるが、老齢者や女性などがエンジンを始動させようとすると、リアハンドルの下側を足で押さえても重心バランスをとることが難しいのでエンジン本体が動いたりして始動できないケースが多かった。
【課題を解決するための手段】
【０００７】
そこで、本発明においては、エンジンの始動時にリコイルスタータハウジングに設けられた開口部を通して外部に引き出されるスターターロープと、前記スターターロープを引き出す際に前記休止位置スペーサーから離れる方向に変位される始動ハンドルを備え、前記エンジンには格納可能な足掛け用枠体部を備えるハンドル組立が取り付けられ、前記足掛け用枠体部は中心部に空間を備え、前記スターターロープの引っ張り方向の延長線上に前記足掛け用枠体部があるようにした。
【発明の効果】
【０００８】
本発明のエンジンのリコイルスタータを利用することにより、従来は非力な作業者では難しかったエンジンの始動作業が他人の助けを借りなくとも容易に作業することができるようになる。
【図面の簡単な説明】
【０００９】
【図１】本発明のエンジン駆動チェーンソーの基本構造を示した図である。
【図２】底面部スペーサー見た足掛け用枠体部が回転する様子を示した図である。
【図３】足掛け用枠体部の回転構造を示す断面図である。
【図４】エンジンの始動操作時の足掛け状態を示した図である。
【図５】エンジンの始動操作における紐引き方向を示した図である。
【発明を実施するための形態】
【００１０】
図１は、エンジン駆動チェーンソーの基本構造を示した図である。エンジン駆動チェーンソー１はエンジン本体２と、チェーンソー３と、固定ハンドル４で構成されている。
【００１１】
このエンジン本体２のリコイルスタータは、エンジンの始動時にリコイルスタータハウジングに設けられた開口部を通して外部に引き出されるスターターロープ１３と、このスターターロープ１３を引き出す際に前記休止位置スペーサーから離れる方向に変位される始動ハンドル７を備える。
【００１２】
前記エンジンには格納可能かつ回動自在な足掛け用枠体部５を備える固定ハンドル４が取り付けられ、前記足掛け用枠体部は中心部に空間５ａを持つ枠構造となっており、前記スターターロープ１３の紐引き方向１４の延長上に前記足掛け用枠体部５の空間５ａがくるように紐を引くことができる。
【００１３】
固定ハンドル４のエンジン本体２との接続部には、回転自在とされた足掛け用枠体部５が、スクリュー６で回転自在に固定ハンドル４に取り付けられている。
【００１４】
なお、固定ハンドル４と足掛け用枠体部５は一体化されていることが望ましい形態である。
【００１５】
エンジン駆動チェーンソー１のエンジンを始動させるには、足掛け用枠体部５を回転させて、始動ハンドル７の引っぱり方向の延長線上に足掛け用枠体部５が来るように足掛け用枠体部５を回転させて、片足で足掛け用枠体部５を踏みながら始動ハンドル７を引っ張ることによりエンジンを始動させることができる。
【００１６】
この時、始動ハンドル７の引っぱり方向の延長線上に足掛け用枠体部５が来ない位置で始動ハンドル７を引っ張ると腰に無理な力がかかり、ぎっくり腰になる可能性があるので、始動ハンドル７の引っ張り方向の延長線上に足掛け用枠体部５の枠体がくるように回動させてから始動ハンドル７を引っ張るとよい。
【００１７】
図２は、底面部スペーサー見た足掛け用枠体部が回転する様子を示した図である。エンジン本体２には足掛け用枠体部５を取り付ける取り付けプレート８が備えられ、足掛け用枠体部５は、スクリュー６でエンジン本体２に取り付けられている。
【００１８】
足掛け用枠体部５はスクリュー６の軸を中心として回転自在であり、格納位置スペーサー作業位置まで回転位置を調整することができる。
【００１９】
足掛け用枠体部５を回転させることにより、足掛け用枠体部の空間５ａの位置を調節し、回動自在な始動ハンドル７の引っ張り方向の延長線上に足掛け用枠体部５がくるように足掛け用枠体部５を回動させてから始動ハンドル７を引っ張ることにより、始動ハンドル７を引っ張るときに腰に無理な力がかからないようにすることができる。
【００２０】
図３は、足掛け用枠体部の回転構造を示す断面図である。スクリュー６は、スペーサー８を通した後、足掛け用枠体部５の摺動穴１１と、取り付けプレート８の摺動穴１２にはスクリュー６のネジ部が挿通され、足掛け用枠体部５の摺動穴１１と取り付けプレート８の摺動穴１２の間にはワッシャ９が、取り付けプレート８の摺動穴１２のワッシャ９と反対側にはワッシャ８を挟んでナット１０が取り付けてある。
【００２１】
ナット１０は、正逆ネジを組みあわせたロック機構とすることにより、使用中にネジが緩むことを防ぐことも考えられる。
【００２２】
スクリュー６、スペーサー８、ナット１０は錆びる畏れがあり、ステンレスなどの錆びに強い材質を使うことが望ましく、ワッシャ８の材料には摺動性の優れたテフロン（登録商標）などが望ましい。
【００２３】
図４は、エンジンの始動操作時の足掛け状態を示した図である。エンジンは地面に置いて始動し、手でしっかり上側の固定ハンドル４を握り、エンジン本体を固定する。
【００２４】
足のつま先を足掛け用枠体部５の枠内にある空間５ａに入りこませて地面に接近あるいは地面と接触することにより、足の力が足掛け用枠体部５に強く伝達されるので、紐引き方向に体の重心を合わせることにより、老若男女でもしっかりとエンジン１を固定して始動ハンドル７を引くことができる。
【００２５】
図５は、エンジンの始動操作における紐引き方向を示した図である。エンジンは地面に置いて始動し、手でしっかり上側の固定ハンドル４を握り、エンジン本体を固定する。
【００２６】
次に、足掛け用枠体部５を始動ハンドル７に取り付けられたスターターロープ１３の延長線１２上に足掛け用枠体部５の枠内にある空間５ａが位置するように足掛け用枠体部５を回動させて調整する。
【００２７】
更に、足で足掛け用枠体部５を踏み、後ろの固定ハンドル４をしっかり固定してスペーサー、スイッチを入れ、スターターロープ１３を遊びのない所まで引き上げ、紐引き方向１４にスターターロープ１３を引っ張る。
【００２８】
エンジンを始動される詳細な手順の例を以下に示す。
（１）チェーンソーのエンジンスタート時、固定ハンドル４を下向きにおさえ、エンジン１のスタート直後チェーンソーの回転する刃が上に飛ばないよう片手で上部固定ハンドル４を下向きに押さえ固定する。
（２）チョークを引く。
（３）エンジン１のスイッチを入れる。
（４）始動ハンドル７をゆっくり引き上げ、スターターロープ１３に手応えがあったらいったん止める。
（５）始動ハンドル７を素早く引き、エンジン１を始動し、エンジン１がかかるまで、この動作を繰り返す。
（６）チョークを引いた時、エンジンが回転を始める兆しがあれば、チョークを戻す。
【００２９】
上記実施例において、足掛け用枠体部５には空間５ａがある枠構造としたが、この目的は足掛け時に足が滑らないようにすることなので、枠構造でなくとも、足掛け用枠体部５に足を掛けた時に滑らない何らかの代替技術で防滑手段が備えられていれば、枠構造をその防滑手段に置き換えることも考えられる。
【産業上の利用可能性】
【００３０】
本発明のエンジンのリコイルスタータをチェーンソーなどのエンジンが備えることにより、老若男女を問わず、腰に不要な負荷をかけずにエンジンを始動することができるので、作業の効率化及び労働人口の増加を見込めるようになる。
【符号の説明】
【００３１】
１…エンジン
２…エンジン本体
３…ソーチェイン
４…固定ハンドル
５…足掛け用枠体部
５ａ…空間
６…スクリュー
７…始動ハンドル
８…スペーサー
９…ワッシャ
１０…ナット
１１…足掛け用枠体部の摺動穴
１２…取り付けプレートの摺動穴
１３…スターターロープ
１４…紐引き方向
【図１】
2012172540.tif 000003
【図２】
2012172540.tif 000004
【図３】
2012172540.tif 000005
【図４】
2012172540.tif 000006
【図５】
2012172540.tif 000007